(57)【要約】【課題】ペットの排泄物、特に、尿が漏れ出すことがなく、また、ペットシーツがずれたり、剥がれたりしないように、ペットシーツの固定や除去（交換）を簡易に行うことができるようにしたペットシーツ固定補助具を提供すること。【解決手段】合成樹脂基材層１１の表面側に粘着剤層１２を形成し、この粘着剤層１２の表面を剥離紙１３で覆うようにするとともに、合成樹脂基材層１１の裏面側に粘着剤層１４を形成し、この粘着剤層１４の表面を剥離紙１５で覆うようにし、さらに、合成樹脂基材層１１の周縁に沿って外周部１１ａを内側に折り返すようにするための切れ込み１６を入れておき、合成樹脂基材層１１の外周部１１ａを内側に折り返して、この外周部１１ａを粘着剤層１２を介して合成樹脂基材層１１の外周部１１ａの内側に接着するようにする。【選択図】図２
2016144427.tif 000002
【特許請求の範囲】
【請求項１】
合成樹脂基材層の表面側に粘着剤層を形成し、該粘着剤層の表面を剥離紙で覆うようにしてなり、剥離紙を剥がして、粘着剤層を介してペットシーツを固定して使用するペットシーツ用マットであって、前記合成樹脂基材層の周縁に沿って外周部を内側に折り返すようにするための切れ込みを入れておき、合成樹脂基材層の外周部を内側に折り返して、該外周部を粘着剤層を介して合成樹脂基材層の外周部の内側に接着するようにしてなることを特徴とするペットシーツ固定補助具。
【請求項２】
合成樹脂基材層の裏面側に粘着剤層を形成し、該粘着剤層の表面を剥離紙で覆うようにしてなり、剥離紙を剥がして、粘着剤層を介して合成樹脂基材層を固定側に固定するようにすることを特徴とする請求項１記載のペットシーツ固定補助具。
【請求項３】
合成樹脂基材層の裏面側に形成した粘着剤層の表面を覆う剥離紙を、該剥離紙の合成樹脂基材層の外周部に対応する部分を除いて剥がすことができるように、該剥離紙の周縁に沿って切れ込みを入れておくようにしてなることを特徴とする請求項２記載のペットシーツ固定補助具。
【発明の詳細な説明】
【技術分野】
【０００１】
本発明は、ペットシーツを固定して使用するペットシーツ用マットに関するものである。
【背景技術】
【０００２】
従来、ペットシーツの上でペットが激しく動いても、ペットシーツがずれたり、剥がれたりしないようにするために、ペットシーツの裏面側に粘着機能を持たせたり、ペットシーツの外周部をシーツ押え枠で押え付けるようにした固定具を使用することが提案され、実用化されている（例えば、特許文献１〜２参照。）。
【先行技術文献】
【特許文献】
【０００３】
【特許文献１】特開２０００−２６２１７２号公報
【特許文献２】登録実用新案第３０７９１３８号公報
【発明の概要】
【発明が解決しようとする課題】
【０００４】
しかしながら、ペットシーツの裏面側に粘着機能を持たせたものは、ペットの排泄物、特に、尿が漏れ出しやすいという問題があり、また、ペットシーツの外周部をシーツ押え枠で押え付けるようにした固定具は、ペットシーツの固定や除去（交換）に手数を要するという問題があった。
【０００５】
本発明は、上記のペットシーツが有する問題点に鑑み、ペットの排泄物、特に、尿が漏れ出すことがなく、また、ペットシーツがずれたり、剥がれたりしないように、ペットシーツの固定や除去（交換）を簡易に行うことができるようにしたペットシーツ固定補助具を提供することを目的とする。
【課題を解決するための手段】
【０００６】
上記目的を達成するため、本発明のペットシーツ固定補助具は、合成樹脂基材層の表面側に粘着剤層を形成し、該粘着剤層の表面を剥離紙で覆うようにしてなり、剥離紙を剥がして、粘着剤層を介してペットシーツを固定して使用するペットシーツ用マットであって、前記合成樹脂基材層の周縁に沿って外周部を内側に折り返すようにするための切れ込みを入れておき、合成樹脂基材層の外周部を内側に折り返して、該外周部を粘着剤層を介して合成樹脂基材層の外周部の内側に接着するようにしてなることを特徴とする。
【０００７】
この場合において、合成樹脂基材層の裏面側に粘着剤層を形成し、該粘着剤層の表面を剥離紙で覆うようにしてなり、剥離紙を剥がして、粘着剤層を介して合成樹脂基材層を固定側に固定するようにすることができる。
【０００８】
合成樹脂基材層の裏面側に形成した粘着剤層の表面を覆う剥離紙を、該剥離紙の合成樹脂基材層の外周部に対応する部分を除いて剥がすことができるように、該剥離紙の周縁に沿って切れ込みを入れておくようにすることができる。
【発明の効果】
【０００９】
本発明のペットシーツ固定補助具によれば、合成樹脂基材層の外周部を内側に折り返して、該外周部を粘着剤層を介して合成樹脂基材層の外周部の内側に接着するようにしてなることから、当該内側に折り返して接着した合成樹脂基材層の外周部が、合成樹脂基材層を囲んで堰の機能（ペットシーツの外周部を持ち上げる機能）を奏することによって、ペットシーツからペットの排泄物、特に、尿が漏れ出すことを防止することができる。
また、合成樹脂基材層の表面側に形成した粘着剤層を介してペットシーツを固定するようにしてなることから、ペットシーツの固定や除去（交換）を簡易に行うことができ、ペットシーツがずれたり、剥がれたりすることを防止することができる。
【００１０】
また、合成樹脂基材層の裏面側に粘着剤層を形成し、該粘着剤層の表面を剥離紙で覆うようにしてなり、剥離紙を剥がして、粘着剤層を介して合成樹脂基材層を固定側に固定するようにするにより、ペットシーツ固定補助具の固定側への固定を簡易に行うことができる。
【００１１】
そして、合成樹脂基材層の裏面側に形成した粘着剤層の表面を覆う剥離紙を、該剥離紙の合成樹脂基材層の外周部に対応する部分を除いて剥がすことができるように、該剥離紙の周縁に沿って切れ込みを入れておくようにすることにより、合成樹脂基材層の表面側に形成した粘着剤層を介してペットシーツを固定するときに、合成樹脂基材層の外周部に対応する部分の剥離紙を剥がさずにおくことで、ペットシーツの周縁部を固定しないようにすることが可能となり、ペットシーツを交換する際のペットシーツの除去操作を簡易に行うことができる。
【図面の簡単な説明】
【００１２】
【図１】本発明のペットシーツ固定補助具の一実施例を示し、（ａ）は正面図、（ｂ）は正面図、（ｃ）は側面図、（ｄ）は正面図の端部の拡大図である。
【図２】同ペットシーツ固定補助具の使用方法の説明図である。
【発明を実施するための形態】
【００１３】
以下、本発明のペットシーツ固定補助具の実施の形態を、図面に基づいて説明する。
【００１４】
図１〜図２に、本発明のペットシーツ固定補助具の一実施例を示す。
【００１５】
このペットシーツ固定補助具１は、図１並びに図２（ａ）及び（ｂ）に示すように、合成樹脂基材層１１の表面側に粘着剤層１２を形成し、この粘着剤層１２の表面を剥離紙１３で覆うようにするとともに、合成樹脂基材層１１の裏面側に粘着剤層１４を形成し、この粘着剤層１４の表面を剥離紙１５で覆うようにし、さらに、合成樹脂基材層１１の周縁に沿って外周部１１ａを内側に折り返すようにするための切れ込み１６を入れておき、使用時に、合成樹脂基材層１１の外周部１１ａを内側に折り返して、この外周部１１ａを粘着剤層１２を介して合成樹脂基材層１１の外周部１１ａの内側に接着するようにしている。
【００１６】
なお、合成樹脂基材層１１の裏面側に形成するようにした粘着剤層１４及び剥離紙１５は、省略することもできる。
【００１７】
そして、このペットシーツ固定補助具１は、図２（ｃ）及び（ｄ）に示すように、使用時に、剥離紙１３を剥がして、合成樹脂基材層１１の表面側の粘着剤層１２を介してペットシーツ２を固定するとともに、剥離紙１５を剥がして、合成樹脂基材層１１の裏面側の粘着剤層１４を介して合成樹脂基材層１１を固定側３、例えば、床面（フローリング）やペット用トレー又はペット用トイレに固定することができるようにしている。
【００１８】
また、合成樹脂基材層１１の裏面側に形成した粘着剤層１４の表面を覆う剥離紙１５を、この剥離紙１５の合成樹脂基材層１１の外周部１１ａに対応する部分を除いて剥がすことができるように、合成樹脂基材層１１に切れ込み１６を入れるのと併せて、剥離紙１５の周縁に沿って切れ込み１６を入れておくようにする。
これにより、合成樹脂基材層１１の表面側に形成した粘着剤層１２を介してペットシーツ２を固定するときに、合成樹脂基材層１１の外周部１１ａに対応する部分の剥離紙１５ａを剥がさずにおくことで、ペットシーツ２の周縁部を固定しないようにすることが可能となり、ペットシーツ２を交換する際のペットシーツ２の除去操作を簡易に行うことができる。
【００１９】
なお、ペットシーツ２の周縁部を固定する必要があるときは、合成樹脂基材層１１の外周部１１ａに対応する部分の剥離紙１５ａを剥がして使用することにより、ペットシーツ２の全面をペットシーツ固定補助具１に固定することができる。
【００２０】
この場合において、合成樹脂基材層１１は、厚さが数ｍｍ〜１０数ｍｍ程度、好ましくは、２ｍｍ〜５ｍｍ程度の発泡ポリエチレン樹脂等の発泡樹脂板や軟質の合成樹脂板（ここで、合成樹脂には、合成ゴム等のゴム材料を含む。）等を好適に用いることができ、特に、発泡樹脂板を用いることによって、軽量化を図りながら、クッション性及び断熱性を持たせることができる。
なお、合成樹脂基材層１１は、必要に応じて、表面にアルミニウム層を設けた積層体で構成することもできる。
【００２１】
また、粘着剤層１２、１４には、一度使用したペットシーツ固定補助具１を、水洗いした後、再使用可能なように、アクリル系、ウレタン系、ゴム系等の再貼着性粘着剤を用いることが好ましいが、このほか、自着性や吸着性を有する合成樹脂、エラストマ等を用いることもできる。
【００２２】
また、合成樹脂基材層１１の切れ込み１６の深さは、合成樹脂基材層１１の外周部１１ａを内側に折り返して、この外周部１１ａを粘着剤層１２を介して合成樹脂基材層１１の外周部１１ａの内側に接着した状態が維持でき、かつ、輸送時等に、合成樹脂基材層１１から外周部１１ａが切り離されない（破損しない）深さ、具体的には、合成樹脂基材層１１の厚みの１／２〜９／１０とすることが好ましい。
【００２３】
また、ペットシーツ固定補助具１は、合成樹脂基材層１１の外周部１１ａを内側に折り返して、この外周部１１ａを粘着剤層１２を介して合成樹脂基材層１１の外周部１１ａの内側に接着したときに、隣接する外周部１１ａ同士が重なり合わないように、図１に示すように、角部１ａを斜めに形成することが好ましい。
なお、角部１ａを斜めに形成せずに、他の形状にした場合も、隣接する外周部１１ａ同士が重なり合わず、合成樹脂基材層１１の表面側が外周部１１ａによって隙間なく囲まれる形状に形成することが好ましい。
【００２４】
このペットシーツ固定補助具１は、合成樹脂基材層１１の外周部１１ａを内側に折り返して、この外周部１１ａを粘着剤層１２を介して合成樹脂基材層１１の外周部１１ａの内側に接着するようにすることにより、当該内側に折り返して接着した合成樹脂基材層１１の外周部１１ａが、合成樹脂基材層１１を囲んで堰の機能（ペットシーツ２の外周部を持ち上げる機能）を奏することによって、ペットシーツ２からペットの排泄物、特に、尿が漏れ出すことを防止することができる。
【００２５】
また、合成樹脂基材層１１の表面側に形成した粘着剤層１２を介してペットシーツを固定するようにすることにより、ペットシーツ２の固定や除去（交換）を簡易に行うことができ、ペットシーツ２がずれたり、剥がれたりすることを防止することができる。
【００２６】
また、合成樹脂基材層１１の裏面側に形成した粘着剤層１４を介して合成樹脂基材層１１を固定側３、例えば、床面（フローリング）やペット用トレー又はペット用トイレに固定することにより、ペットシーツ固定補助具１の固定側３への固定を簡易に行うことができる。
【００２７】
また、粘着剤層１２、１４には、公知の粘着剤を用いることができるが、アクリル系、ウレタン系等の再貼着性粘着剤を用いることが好ましく、これにより、一度使用したペットシーツ固定補助具１を、水洗いした後、再使用することができる。
【００２８】
剥離紙１３、１５には、粘着剤層１２、１４に用いる粘着剤に適合した公知の剥離紙（剥離フィルムを含む。）を用いることができる。
【００２９】
また、ペットシーツ固定補助具１は、使用時に、合成樹脂基材層１１の外周部１１ａを内側に折り返して、この外周部１１ａを粘着剤層１２を介して合成樹脂基材層１１の外周部１１ａの内側に接着するまではフラットな形状のため、輸送時等に嵩張らず、取り扱いやすい形態である。
【００３０】
以上、本発明のペットシーツ固定補助具について、その実施例に基づいて説明したが、本発明は上記実施例に記載した構成に限定されるものではなく、その趣旨を逸脱しない範囲において適宜その構成を変更することができるものである。
【産業上の利用可能性】
【００３１】
本発明のペットシーツ固定補助具は、ペットの排泄物、特に、尿が漏れ出すことがなく、また、ペットシーツがずれたり、剥がれたりしないように、ペットシーツの固定や除去（交換）を簡易に行うことができることから、ペットシーツを固定して使用する用途に広く、好適に用いることができる。
【符号の説明】
【００３２】
１  ペットシーツ固定補助具
１ａ  角部
１１  合成樹脂基材層
１１ａ  外周部
１２  粘着剤層
１３  剥離紙
１４  粘着剤層
１５  剥離紙
１６  切れ込み
２  ペットシーツ
３  固定側
【図１】
2016144427.tif 000003
【図２】
2016144427.tif 000004